(57)【要約】      （修正有）【課題】携帯電話機において、接続先端末の留守番電話機等から録音された音声を転送された場合、スピーカから耳を離すことなく、「再生」、「送り」、「戻し」、「停止」等のリモート操作ができ、また、簡単に所定の機能を登録可能な携帯電話装置を提供する。【解決手段】携帯電話機の側面で、親指又は人差し指又は中指で保持する部位の近傍に、所定の機能を登録可能なファンクションキーを設置し、前記ファンクションキーに登録する前記所定の機能は、接続先端末と接続された状態で前記ファンクションキーが押下された場合に、前記接続先端末をリモート制御するための、＃、＊、１、２、３等の記号又は各種記号の組合せを示す電気信号を送出する。【選択図】図１
2009049761.tif 000002
【特許請求の範囲】
【請求項１】
通話のための通話ボタン及び切ボタンと、ダイヤルボタンと、十字ボタンとを備えた操作部と、音声出力可能なスピーカと、音声入力可能なマイクと、各種情報を表示可能な表示部を有した公衆または構内で使用する携帯電話機において、
当該携帯電話機の側面で、親指又は人差し指又は中指で保持する部位の近傍に、所定の機能を登録可能なファンクションボタンを設置し、前記所定の機能は、接続先端末と接続された状態で前記ファンクションボタンが押下された場合に、前記接続先端末をリモート制御するための、＃、＊、１、２、３等の記号又は各種記号の組合せを示す電気信号を送出する機能であることを特徴とするリモート制御機能を有する携帯電話機。
【請求項２】
請求項１に記載の携帯電話機において、
前記ファンクションボタンに登録されている機能を示すタイトルを当該携帯電話機の表示部に表示することを特徴とするリモート制御機能を有する携帯電話機。
【請求項３】
請求項１又は２に記載の携帯電話機において、
前記ファンクションボタンに登録された機能は、通話中以外に押下しても無効とすることを特徴とするリモート制御機能を有する携帯電話機。
【発明の詳細な説明】
【技術分野】
【０００１】
本発明は、公衆または構内で使用する携帯電話機において、当該携帯電話機の側面に所定の機能を登録可能なファンクションボタンを設置し、通話中にスピーカから耳を離さずに接続先端末のリモート制御ができる携帯電話機に関するものである。
【背景技術】
【０００２】
従来の携帯電話機においては、接続先端末の留守番電話機等から録音された音声を転送された場合には、特定のダイヤルボタン＃、＊、１、２、３等を押下することで電気信号を送出し、リモート制御で「再生」、「送り」、「戻し」、「停止」等の操作を行い、録音された音声を聞くことができる。しかし、ダイヤルボタンを操作する場合はその都度スピーカから耳を離して操作しなければならないというわずらわしさがあり、操作性に問題があった。
【０００３】
操作性の改善に関しては、特開２００４−８０１８４号公報に開示されているように、表示部の下の位置で携帯電話機を手で保持した状態で指が届く範囲に操作キーを配置した構成を有する携帯端末が提案されている。
【０００４】
しかしながら、前記提案のような操作キーの配置では操作ボタンやダイヤルボタンを片手で押下する操作は可能であるがその都度スピーカから耳を離して操作しなければならないという問題が解決されない。
【特許文献１】特開２００４−８０１８４号公報
【発明の開示】
【発明が解決しようとする課題】
【０００５】
本発明が解決しようとする課題は、携帯電話機において、接続先端末の留守番電話機等から転送された録音音声をスピーカから耳を離すことなく、「再生」、「送り」、「戻し」、「停止」等のリモート操作ができ、また、登録スイッチの長押し操作で簡単に登録モードに移行し、「暗証番号」、「再生」、「送り」、「戻し」、「停止」等のリモート制御のダイヤル情報を登録可能な携帯電話装置を提供することにある。
【課題を解決するための手段】
【０００６】
上記課題を解決するために、第１の発明は、
通話のための通話ボタン及び切ボタンと、ダイヤルボタンと、十字ボタンとを備えた操作部と、音声出力可能なスピーカと、音声入力可能なマイクと、各種情報を表示可能な表示部を有した公衆または構内で使用する携帯電話機において、当該携帯電話機の側面で、親指又は人差し指又は中指で保持する部位の近傍に、所定の機能を登録可能なファンクションボタンを設置し、前記所定の機能は、接続先端末と接続された状態で前記ファンクションボタンが押下された場合に、前記接続先端末をリモート制御するための、＃、＊、１、２、３等の記号又は各種記号の組合せを示す電気信号を送出する機能であることを特徴とするリモート制御機能を有する携帯電話機である。
【０００７】
上記課題を解決するために、第２の発明は、
前記第１の発明に記載の携帯電話機において、前記ファンクションボタンに登録されている機能を示すタイトルを当該携帯電話機の表示部に表示することを特徴とするリモート制御機能を有する携帯電話機である。
【０００８】
上記課題を解決するために、第３の発明は、
前記第１の発明又は第２の発明に記載の携帯電話機において、前記ファンクションボタンに登録された機能は、通話中以外に押下しても無効とすることを特徴とするリモート制御機能を有する携帯電話機である。
【発明の効果】
【０００９】
携帯電話機でリモート操作する時にその都度スピーカから耳を離さずに操作できるため、録音された音声を聞き逃すことが防止できる。従来はスピーカから耳を離し、ダイヤルボタンを操作する動作を繰り返すことになり、わずらわしかったが、本発明によれば耳をスピーカから離さずに操作できるため操作性が向上できる。
【発明を実施するための最良の形態】
【００１０】
以下、本発明の実施形態を図面に基づき説明する。図１は本発明の実施形態に係る携帯電話機の全体を示す斜視図である。図１において、１は本発明による携帯電話機、２は各種の情報を表示する表示部、３は表示部の側面に設置したファンクションボタンであり複数個で構成され、３１〜３６はファンクションボタン番号１〜ファンクションボタン番号６に対応している。４はファンクションボタン３に「「暗証番号」、「再生」、「送り」、「戻し」、「停止」等のリモート制御のダイヤル情報を登録する登録スイッチ、５はダイヤルボタン、６は通話時に使用する通話ボタン、７は十字ボタン、８は切ボタン、９は音声入力可能なマイク、１０は音声出力可能なスピーカ、１１は表示部２とダイヤルボタン５が設置された操作部が開閉する方向へ回動可能とするヒンジ部である。
【００１１】
この携帯電話機１は、表示部２とダイヤルボタン５が設置された操作部が開いた状態において、前記携帯電話機１の側面で、親指又は人差し指又は中指で保持する部位の近傍にファンクションボタン３を設置したことを特徴とし、前記ファンクションボタン３を押下することで、留守番電話機へのリモート操作をスピーカから耳を離すことがなく、リモート制御するための＃、＊、１、２、３等の記号又は各種記号の組合せを示す電気信号を送出し、留守番電話機へのリモート操作を片手の指で操作ができる構成を有している。
【００１２】
図２は本発明の構成を示す機能ブロック図である。１２は携帯電話機１の全体制御をする全体制御部、１２２はファンクションボタン番号（１〜６）に対応付けてファンクションボタン３に登録する「暗証番号」、「再生」、「送り」、「戻し」、「停止」等リモート制御で使用するダイヤル情報及びタイトル表示情報を一時的に記憶する登録情報一時記憶部、１２３は携帯電話機１の状態を管理する状態管理部、１３は登録情報一時記憶部１２２に記憶された情報の転送を受けて、登録するファンクションボタン番号情報及びファンクションボタン３に登録する「暗証番号」、「再生」、「送り」、「戻し」、「停止」等、リモート制御で使用するダイヤル情報及びタイトル表示情報を記憶する記憶部、１４は表示部２の表示内容を制御する表示制御部、１５はスピーカ１０とマイク９にて通話可能とする音声通信制御部、１６は、ファンクションボタン３が押された時に記憶部１３に登録記憶された情報をＰＢ信号等の電気信号に変換して送出する電気信号発生器、１７は、無線を制御する無線制御部、１８は無線データを受信する受信部、１９は無線データを送信する送信部、２０はアンテナである。
【００１３】
図３は本発明に係わるファンクションボタン３に「暗証番号」、「再生」、「送り」、「戻し」、「停止」等、リモート制御で使用するダイヤル情報を登録する場合のフロチャートである。
携帯電話機１の側面に設置された登録スイッチ４が押下される（Ｓ３０１、Ｙｅｓ）と全体制御部１２が押下を検知し、全体制御部１２に内蔵されているタイマをセットする（Ｓ３０２）。登録スイッチ４が押下継続（Ｓ３０３、Ｙｅｓ）されているか否かを全体制御部１２が監視し、一定時間後に前記タイマがタイムアウト（Ｓ３０５、Ｙｅｓ）すると、全体制御部１２は登録ボタン４の入力が有効と判断して状態管理部１２３に通知し、登録情報一時記憶部１２２を初期化し登録モードに遷移する（Ｓ３０６）。
【００１４】
ファンクションボタン３が押下されると（Ｓ３０７、Ｙｅｓ）、全体制御部１２は、押下されたボタンに対応するファンクションボタン番号情報を登録情報一時記憶部１２２に記憶する（Ｓ３０８）。
ダイヤルボタン５が押下されると（Ｓ３０９、Ｙｅｓ）、全体制御部１２が検知し、登録情報一時記憶部１２２の所定の領域に押下されたダイヤル情報及びタイトル表示情報を記憶する（３１０）。
図５にダイヤル情報とタイトル表示情報の格納方法の一例を示す。登録情報一時記憶部１２２はテーブル番号毎にダイヤル情報とタイトル表示情報を格納するエリアを有する構造とし、押下されたファンクションボタン番号情報と一致したテーブル番号のダイヤル情報エリアにダイヤル情報を、タイトル表示情報エリアにタイトル表示情報をそれぞれ格納することで記憶する。
表示部制御１４に上記ファンクションボタン情報及びダイヤル情報及びタイトル表示情報が通知されると、表示部制御１４は通知されたファンクションボタン番号情報から隣接する表示部２の表示位置を決定し、表示部２にて、ファンクションボタン横に前記通知された情報を表示する（Ｓ３１１）。
図６にタイトル情報表示の一例を示す。
引き続きダイヤルボタン５が押下されると（Ｓ３０９、Ｙｅｓ）、上記同様の処理手順にて登録情報一時記憶部１２２にダイヤル情報及びタイトル表示情報を追加して記憶し（Ｓ３１０）、表示部２にて、ファンクションボタン横に情報を表示する（Ｓ３１１）。
【００１５】
ダイヤルボタン５での登録が終了し、登録スイッチ４が押されると（Ｓ３１２、Ｙｅｓ）、全体制御部１２が検知し、登録情報一時記憶部１２２に記憶されているファンクションボタン番号情報及びダイヤル情報及びタイトル表示情報を記憶部１３に転送して記憶する（Ｓ３１３）。記憶部１３に前記所定の情報を記憶した後、登録情報一時記憶部１２２を初期化して登録を完了する（Ｓ３１４）。
登録スイッチ４が押されず（Ｓ３１２、Ｎｏ）、新たに他のファンクションボタン３が押下されると（Ｓ３１５、Yes）、全体制御部１２が検知し、登録情報一時記憶部１２２に記憶されているファンクションボタン番号情報及びダイヤル情報及びタイトル表示情報を記憶部１３に転送して記憶する（Ｓ３１６）。記憶部１３に前記所定の情報を記憶した後、一旦登録情報一時記憶部１２２を初期化してから前記新たに押下された他のファンクションボタン３に対応するファンクションボタン番号情報を記憶して登録を完了する（Ｓ３１７）。
【００１６】
登録モードに遷移（Ｓ３０６）した後、ファンクションボタン３が押下されず（Ｓ３０７、Ｎｏ）、登録スイッチ４が押下されると（Ｆ３１２、Ｙｅｓ）全体制御部１２は登録情報一時記憶部１２２が初期化されたまま登録情報がないため、登録記憶部１３には初期化された情報を転送せず、登録を完了する（Ｓ３１４）。
【００１７】
図４は本発明に係わるリモート操作時のフロチャートである。通話中にファンクションボタン３押下にてリモート操作する場合について説明する。
相手先端末の留守番電話機から着信があると電話網は無線網を介して本発明の携帯電話機１に「着信情報」を送出する。受信部１８が受信し、無線制御部１７に通知する。無線制御部１７は「着信情報」を全体制御部１２に通知する。全体制御部１２が状態管理部１２３に「着信情報」を通知すると、状態管理部１２３は状態を「着信中」とする。
通話ボタン６が押下されると、全体制御部１２が検知し、全体制御部１２は無線制御部１７に「通話情報」を通知し、送信部１９が無線にて「通話情報」を無線網を介して電話網に通知し、相手先端末と通話状態となる。全体制御部１２は状態管理部１２３に通話状態となったことを通知すると状態管理部１２３は、状態を「通話中」とする。
切ボタン８が押下されると全体制御部１２が検知し、全体制御部１２は無線制御部１７に「切断情報」を通知し、送信部１９が無線にて切断とする情報を無線網を介して電話網に通知し、相手先端末と通話切断となる。全体制御部１２は状態管理部１２３に通話切断となったことを通知すると状態管理部１２３は、状態を「待機中」とする。
全体制御部１２は状態管理部１２３に現在の状態を問い合わせることでファンクションボタン３が押下されても通話中以外は無効とする（Ｓ４０１、Ｎｏ）。
【００１８】
前記通話中に全体制御部１２は状態管理部１２３に現在の状態を問い合わせし通話中と判断すると（Ｓ４０１、Ｙｅｓ）、ファンクションボタン３押下を有効とし（Ｓ４０２）、記憶部１３に記憶しているファンクションボタン番号情報及びタイトル情報を表示制御部１４に通知する。表示制御部１４は、前記情報を元に表示部２の該当するファンクションボタンの横に登録情報を表示する（Ｓ４０３）。
【００１９】
相手先端末の留守番電話機から「暗証番号を入力して下さい。」等のガイダンスが送出されると（Ｓ４０４）、スピーカ１０から音声出力されるので、スピーカから耳を離すことなく例えば暗証番号が登録されているファンクションボタン３を携帯電話機を保持している手の指で押下する（Ｓ４０５、Yes）。
全体制御部１２はこれを検知し、記憶部１３に記憶されているファンクション番号情報と押下されたファンクションボタン情報が一致した登録情報を抽出する。この場合「暗証番号」の例で説明する。全体制御部１２は登録情報「暗証番号」を電気信号発生器１６に１桁ずつ順番に送出制御をする。電気信号発生器１６は受取った登録情報「暗証番号」を電気信号に変換して音声通信制御部に送出すると無線制御部１７が無線情報に変換し送信部１９にて無線にて送出する。送出された情報は無線網から電話機網を介して相手先端末に送出される（Ｓ４０６）。相手先端末は、この信号を検知して「暗証番号」を認識して録音音声の送出を開始する。送出された音声信号は無線網を介して受信部１８で受信され、音声通信制御部１５によりスピーカ１０から出力される（Ｓ４０７）。
【００２０】
その後、各機能が登録されたファンクションキー３を携帯電話機を保持している手の指で押下することにより（Ｓ４０８）、前記「暗証番号」の場合と同様の動作に、「再生」用の電気信号を送出する（Ｓ４０９）。「送り」用の電気信号を送出する（Ｓ４１０）。「戻し」用の電気信号を送出する（Ｓ４１１）。「「停止」用の電気信号を送出する（Ｓ４１２）。「終了」用の電気信号を送出し、（Ｓ４１３）リモート制御を終了する（Ｓ４１４）等のリモート操作を行うことができる。
【図面の簡単な説明】
【００２１】
【図１】携帯電話機の全体を示す斜視図
【図２】機能ブロック図
【図３】登録時のフロチャート
【図４】リモート操作時のフロチャート
【図５】ダイヤル情報とタイトル表示情報格納方法を示す図
【図６】タイトル情報表示例
【符号の説明】
【００２２】
１    本発明の携帯電話機
２    表示部
３    ファンクションボタン
３１  ファンクションボタン番号１
３２  ファンクションボタン番号２
３３  ファンクションボタン番号３
３４  ファンクションボタン番号４
３５  ファンクションボタン番号５
３６  ファンクションボタン番号６
４    登録スイッチ
５    ダイヤルボタン
６    通話ボタン
７    十字ボタン
８    切ボタン
９    マイク
１０    スピーカ
１１    ヒンジ部
１２    全体制御部
１２２  登録情報一時記憶部
１２３  状態管理部
１３    記憶部
１４    表示制御部
１５    音声通信制御部
１６    電気信号発生器
１７    無線制御部
１８    受信部
１９    送信部
２０    アンテナ
【図１】
2009049761.tif 000003
【図２】
2009049761.tif 000004
【図３】
2009049761.tif 000005
【図４】
2009049761.tif 000006
【図５】
2009049761.tif 000007
【図６】
2009049761.tif 000008